(57)【要約】【課題】湿度調節装置と温度調節装置を備える空調システムにおいて、温度調節装置の運転効率を向上させる。【解決手段】空調機（20）と外気処理機（50）とによって空調システム（10）が構成される。冷房運転中の空調機（20）は、室内ユニット（22a〜22d）において冷却された空気を室内へ供給する。除湿運転中の外気処理機（50）は、調湿ユニット（52a,52b）において除湿された空気を室内へ供給する。空調システム（10）では、空調側コントローラ（91）と調湿側コントローラ（92a,92b）とによって制御システム（90）が構成される。調湿側コントローラ（92a）は、空調機（20）の冷媒回路（30）における冷媒蒸発温度の目標値Ｔesを、室内空気の露点温度よりも高い値に設定する。空調側コントローラ（91）は、の冷媒回路（30）における冷媒蒸発温度が目標値Ｔesとなるように、空調用圧縮機（41）の運転容量を調節する。【選択図】図１
2010065977.tif 000002
【特許請求の範囲】
【請求項１】
吸着剤を利用して空気の湿度を調節する湿度調節装置（50）と、冷凍サイクルを行う冷媒回路（30）の冷媒を利用して空気の温度を調節する温度調節装置（20）とを備え、上記湿度調節装置（50）が湿度調節した空気と、上記温度調節装置（20）が温度調節した空気とを室内空間へ供給する空調システムであって、
上記温度調節装置（20）は、上記冷媒回路（30）の蒸発器において冷却された空気を室内へ供給する冷房運転を実行可能に構成される一方、
室内空気の露点温度を検出する露点温度検出手段（55a,56a,92a）と、
上記冷房運転中の上記温度調節装置（20）の運転状態を、該温度調節装置（20）の冷媒回路（30）における冷媒の蒸発温度が上記露点温度検出手段（55a,56a,92a）の検出値よりも高い値に保たれるように調節する制御手段（90）とを更に備えている
ことを特徴とする空調システム。
【請求項２】
請求項１において、
上記制御手段（90）は、上記温度調節装置（20）の冷房運転中には、該温度調節装置（20）の冷媒回路（30）に設けられた圧縮機（41）の運転容量を該冷媒回路（30）における冷媒の蒸発温度が所定の目標蒸発温度となるように調節し、且つ上記目標蒸発温度を上記露点温度検出手段（55a,56a,92a）の検出値よりも高い値に設定するように構成されている
ことを特徴とする空調システム。
【請求項３】
請求項２において、
上記制御手段（90）は、上記温度調節装置（20）の冷房運転中には、冷房能力の低下を抑えるために、上記目標蒸発温度の値が高くなるにつれて上記温度調節装置（20）の蒸発器を通過する空気の流量を増やす能力保持動作を行うように構成されている
ことを特徴とする空調システム。
【請求項４】
請求項２において、
上記温度調節装置（20）は、冷房運転中に蒸発器となる熱交換器（36a〜36d）をそれぞれが有する複数の室内ユニット（22a〜22d）を備える一方、
上記制御手段（90）は、上記温度調節装置（20）の冷房運転中には、冷房能力の低下を抑えるために、上記目標蒸発温度の値が高くなるにつれて複数の上記室内ユニット（22a〜22d）のうち運転されるものの台数を増やす能力保持動作を行うように構成されている
ことを特徴とする空調システム。
【発明の詳細な説明】
【技術分野】
【０００１】
本発明は、空気の湿度を調節する湿度調節装置と空気の温度を調節する温度調節装置とを備えた空調システムに関するものである。
【背景技術】
【０００２】
従来より、空気の湿度を調節する湿度調節装置と空気の温度を調節する温度調節装置とを備えた空調システムが知られている。例えば、特許文献１には、デシカントロータを用いて空気の湿度を調節する湿度調節装置と、冷凍サイクルを行う冷媒回路が設けられた温度調節装置とを備える空調システムが開示されている。また、特許文献２や特許文献３には、空気熱交換器の表面に担持された吸着剤を冷媒で加熱し又は冷却することによって空気の湿度を調節する湿度調節装置と、冷凍サイクルを行う冷媒回路が設けられた温度調節装置とを備える空調システムが開示されている。この種の空調システムでは、主に湿度調節装置が室内の潜熱負荷を処理し、主に温度調節装置が室内の顕熱負荷を処理する。
【特許文献１】特開平０９−３１８１２６号公報
【特許文献２】特開２００５−２９１５８５号公報
【特許文献３】特開２００６−３２９４７１号公報
【発明の開示】
【発明が解決しようとする課題】
【０００３】
ところで、冷凍サイクルを行う冷媒回路が設けられた温度調節装置（即ち、一般的な空調機）では、その冷房運転中において、空気を冷却すると同時に空気中の水分を凝縮させて空気の湿度を低下させるために、冷媒の蒸発温度が空気の露点よりもかなり低い値に設定されるのが通常である。一方、湿度調節装置と共に空調システムを構成する温度調節装置では、空気の除湿は湿度調節装置で行うことができるため、温度調節装置において空気を除湿する必要が無くなる。ところが、従来の空調システムでは、このような空調システムの特性（即ち、温度調節装置において空気を除湿する必要が無いという特性）が温度調節装置の制御に充分に利用されておらず、その結果、温度調節装置の運転効率を充分に向上させられないおそれがあった。
【０００４】
本発明は、かかる点に鑑みてなされたものであり、その目的は、湿度調節装置と温度調節装置を備える空調システムについて、その空調システムの特性を温度調節装置の制御に利用して温度調節装置（20）の運転効率を向上させることにある。
【課題を解決するための手段】
【０００５】
第１の発明は、吸着剤を利用して空気の湿度を調節する湿度調節装置（50）と、冷凍サイクルを行う冷媒回路（30）の冷媒を利用して空気の温度を調節する温度調節装置（20）とを備え、上記湿度調節装置（50）が湿度調節した空気と、上記温度調節装置（20）が温度調節した空気とを室内空間へ供給する空調システムを対象とする。そして、上記温度調節装置（20）は、上記冷媒回路（30）の蒸発器において冷却された空気を室内へ供給する冷房運転を実行可能に構成される一方、室内空気の露点温度を検出する露点温度検出手段（55a,56a,92a）と、上記冷房運転中の上記温度調節装置（20）の運転状態を、該温度調節装置（20）の冷媒回路（30）における冷媒の蒸発温度が上記露点温度検出手段（55a,56a,92a）の検出値よりも高い値に保たれるように調節する制御手段（90）とを更に備えるものである。
【０００６】
第１の発明において、湿度調節装置（50）は、空気中の水分を吸着剤に吸脱着させることによって、空気の湿度を調節する。温度調節装置（20）は、冷媒回路（30）を循環する冷媒を空気と熱交換させることによって、空気の温度を調節する。冷房運転中の温度調節装置（20）は、冷媒回路（30）の蒸発器において冷却した空気を室内へ供給する。温度調節装置（20）の冷房運転中において、制御手段（90）は、冷媒回路（30）における冷媒の蒸発温度を、露点温度検出手段（55a,56a,92a）で得られた検出値（即ち、室内空気の露点温度の実測値）よりも高い値に保つ。このため、冷房運転中の温度調節装置（20）において、冷媒回路（30）の蒸発器では、空気の温度がその露点温度よりも高い値に保たれ、冷媒によって冷却される過程で空気中の水分が凝縮することはない。つまり、冷房運転中の温度調節装置（20）では、空気の温度だけが低下し、空気に含まれる水分量（即ち、絶対湿度）は変化しない。一方、湿度調節装置（50）では、室内へ供給される空気に含まれる水分量が調節される。
【０００７】
第２の発明は、上記第１の発明において、上記制御手段（90）は、上記温度調節装置（20）の冷房運転中には、該温度調節装置（20）の冷媒回路（30）に設けられた圧縮機（41）の運転容量を該冷媒回路（30）における冷媒の蒸発温度が所定の目標蒸発温度となるように調節し、且つ上記目標蒸発温度を上記露点温度検出手段（55a,56a,92a）の検出値よりも高い値に設定するように構成されるものである。
【０００８】
第２の発明において、制御手段（90）は、温度調節装置（20）の冷房運転中に、該温度調節装置（20）の冷媒回路（30）に設けられた圧縮機（41）の運転容量を、該冷媒回路（30）における冷媒の蒸発温度が所定の目標蒸発温度となるように調節する。つまり、制御手段（90）は、冷媒回路（30）における冷媒の蒸発温度が目標蒸発温度よりも高ければ圧縮機（41）の運転容量を増やし、逆に冷媒回路（30）における冷媒の蒸発温度が目標蒸発温度よりも低ければ圧縮機（41）の運転容量を減らす。その際、制御手段（90）は、目標蒸発温度を上記露点温度検出手段（55a,56a,92a）の検出値よりも高い値に設定する。このため、冷房運転中の温度調節装置（20）では、冷媒回路（30）における冷媒の蒸発温度が、室内空気の露点温度の実測値よりも高い値に保たれる。
【０００９】
第３の発明は、上記第２の発明において、上記制御手段（90）は、上記温度調節装置（20）の冷房運転中には、冷房能力の低下を抑えるために、上記目標蒸発温度の値が高くなるにつれて上記温度調節装置（20）の蒸発器を通過する空気の流量を増やす能力保持動作を行うように構成されるものである。
【００１０】
第３の発明では、温度調節装置（20）の冷房運転中に制御手段（90）が能力保持動作を行う。ここで、冷房運転中の温度調節装置（20）において、冷媒回路（30）における冷媒の蒸発温度を室内空気の露点温度よりも高い値に保つと、蒸発器における冷媒と空気の温度差が小さくなり、単位時間当たりに冷媒が空気から吸熱する熱量が減少して充分な冷房能力を得られなくなるおそれがある。そこで、この発明の制御手段（90）は、能力保持動作を行って蒸発器を通過する空気の流量を増やし、単位時間当たりに冷媒が空気から吸熱する熱量を増大させて冷房能力の低下を抑える。
【００１１】
第４の発明は、上記第２の発明において、上記温度調節装置（20）は、冷房運転中に蒸発器となる熱交換器（36a〜36d）をそれぞれが有する複数の室内ユニット（22a〜22d）を備える一方、上記制御手段（90）は、上記温度調節装置（20）の冷房運転中には、冷房能力の低下を抑えるために、上記目標蒸発温度の値が高くなるにつれて複数の上記室内ユニット（22a〜22d）のうち運転されるものの台数を増やす能力保持動作を行うように構成されるものである。
【００１２】
第４の発明では、温度調節装置（20）の冷房運転中に制御手段（90）が能力保持動作を行う。ここで、冷房運転中の温度調節装置（20）において、冷媒回路（30）における冷媒の蒸発温度を室内空気の露点温度よりも高い値に保つと、蒸発器における冷媒と空気の温度差が小さくなり、単位時間当たりに冷媒が空気から吸熱する熱量が減少して充分な冷房能力を得られなくなるおそれがある。そこで、この発明の制御手段（90）は、能力保持動作を行って運転される室内ユニット（22a〜22d）の台数を増やしている。そして、一台の室内ユニット（22a〜22d）で得られる冷房能力が減少しても、室内ユニット（22a〜22d）の運転台数が増えるため、温度調節装置（20）全体の冷房能力の低下は抑えられる。
【発明の効果】
【００１３】
本発明の空調システム（10）において、湿度調節装置（50）では室内へ供給される空気の湿度調節が行われる一方、冷房運転中の温度調節装置（20）では冷媒の蒸発温度が室内空気の露点温度よりも高い値に保たれる。このように、本発明の空調システム（10）には、湿度調節装置（50）が空気の湿度調節を行うので温度調節装置（20）は空気の温度だけを調節すればよいという特性がある。そこで、本発明では、冷房運転中の温度調節装置（20）における冷媒の蒸発温度を室内空気の露点温度よりも高い値に保ち、温度調節装置（20）において空気の温度だけを調節するようにしている。このため、温度調節装置（20）の冷媒回路（30）では、温度調節装置（20）において空気の除湿をも行う場合に比べて、冷媒の蒸発温度を高い値に設定することができる。
【００１４】
従って、本発明によれば、冷房運転中の温度調節装置（20）の冷媒回路（30）における低圧圧力（即ち、冷媒の蒸発圧力）を高く設定することができ、冷媒回路（30）が行う冷凍サイクルの高圧と低圧の差を縮小することができる。その結果、冷媒回路（30）の圧縮機（41）で消費される動力を削減でき、温度調節装置（20）の運転効率を向上させることができる。
【００１５】
上記第３の発明では、制御手段（90）が能力保持動作を行って温度調節装置（20）における蒸発器の通過風量を増やすことで、冷媒回路（30）における冷媒の蒸発温度が比較的高い値になった状態でも、温度調節装置（20）の冷房能力の低下を抑えている。また、上記第４の発明では、制御手段（90）が能力保持動作を行って室内ユニット（22a〜22d）の運転台数を増やすことで、冷媒回路（30）における冷媒の蒸発温度が比較的高い値になった状態でも、温度調節装置（20）全体の冷房能力の低下を抑えている。従って、これら第３及び第４の発明によれば、冷媒回路（30）における冷媒の蒸発温度が室内空気の露点温度よりも高い値に設定された状態においても、空調システム（10）の冷房能力の低下を抑えて室内の快適性を確保することができる。
【発明を実施するための最良の形態】
【００１６】
以下、本発明の実施形態を図面に基づいて詳細に説明する。
【００１７】
《発明の実施形態１》
本発明の実施形態１について説明する。本実施形態の空調システム（10）は、温度調節装置である空調機（20）と、湿度調節装置である外気処理機（50）とを備えている。また、この空調システム（10）では、空調機（20）に設けられた空調側コントローラ（91）と、外気処理機（50）に設けられた調湿側コントローラ（92a,92b）とが、制御手段である制御システム（90）を構成している。
【００１８】
〈空調機の構成〉
空調システム（10）を構成する空調機（20）は、一台の室外ユニット（21）と、四台の室内ユニット（22a,22b,22c,22d）とを備えている。この空調機（20）では、室外ユニット（21）と各室内ユニット（22a〜22d）を配管で接続することによって空調用冷媒回路（30）が形成されている。なお、室外ユニット（21）及び室内ユニット（22a〜22d）の台数は、単なる例示である。
【００１９】
室外ユニット（21）には、室外回路（40）と室外ファン（23）とが収容されている。室外回路（40）には、空調用圧縮機（41）と、アキュームレータ（42）と、四方切換弁（43）と、室外熱交換器（44）と、室外膨張弁（45）と、レシーバ（46）と、液側閉鎖弁（47）と、ガス側閉鎖弁（48）とが設けられている。
【００２０】
室外回路（40）において、空調用圧縮機（41）は、その吐出側が四方切換弁（43）の第１のポートに接続され、その吸入側がアキュームレータ（42）を介して四方切換弁（43）の第２のポートに接続されている。四方切換弁（43）の第３のポートは、室外熱交換器（44）のガス側端に接続されている。室外熱交換器（44）の液側端は、室外膨張弁（45）の一端に接続されている。室外膨張弁（45）の他端は、レシーバ（46）を介して液側閉鎖弁（47）に接続されている。四方切換弁（43）の第４のポートは、ガス側閉鎖弁（48）に接続されている。
【００２１】
室外回路（40）には、高圧センサ（26）と低圧センサ（27）とが設けられている。高圧センサ（26）は、空調用圧縮機（41）の吐出側と四方切換弁（43）を繋ぐ配管に接続され、空調用圧縮機（41）から吐出された高圧冷媒の圧力を計測する。低圧センサ（27）は、アキュームレータ（42）と四方切換弁（43）を繋ぐ配管に接続され、空調用圧縮機（41）へ吸入される低圧冷媒の圧力を計測する。
【００２２】
空調用圧縮機（41）は、いわゆる全密閉型の圧縮機である。空調用圧縮機（41）の電動機には、図外のインバータを介して電力が供給される。インバータから電動機へ供給される交流の周波数（即ち、空調用圧縮機（41）の運転周波数）を変化させると、電動機の回転速度が変化し、その結果、空調用圧縮機（41）の運転容量が変化する。
【００２３】
室外熱交換器（44）は、室外ファン（23）によって供給された室外空気を冷媒と熱交換させるフィン・アンド・チューブ型の熱交換器である。四方切換弁（43）は、第１のポートが第３のポートに連通し且つ第２のポートが第４のポートに連通する第１状態（図１に実線で示す状態）と、第１のポートが第４のポートに連通連通し且つ第２のポートが第３のポートに連通する第２状態（図１に破線で示す状態）とに切り換わる。
【００２４】
各室内ユニット（22a〜22d）には、室内回路（35a,35b,35c,35d）が一つずつ収容されている。また、各室内ユニット（22a〜22d）には、室内ファン（24a,24b,24c,24d）と、室内温度センサ（25a,25b,25c,25d）とが一つずつ設けられている。
【００２５】
各室内回路（35a〜35d）には、室内熱交換器（36a,36b,36c,36d）と、室内膨張弁（37a,37b,37c,37d）とが一つずつ設けられている。室内熱交換器（36a〜36d）は、室内ファン（24a〜24d）によって供給された室内空気を冷媒と熱交換させるフィン・アンド・チューブ型の熱交換器である。
【００２６】
各室内回路（35a〜35d）において、室内熱交換器（36a〜36d）は、その一端が室内回路（35a〜35d）のガス側端に接続され、その他端が室内膨張弁（37a〜37d）を介して室内回路（35a〜35d）の液側端に接続されている。各室内回路（35a〜35d）は、それぞれの液側端が液側連絡配管（31）を介して室外回路（40）の液側閉鎖弁（47）に接続され、それぞれのガス側端がガス側連絡配管（32）を介して室外回路（40）のガス側閉鎖弁（48）に接続されている。
【００２７】
図示しないが、各室内ユニット（22a〜22d）には、空気の吸込口と吹出口が形成されている。各室内ユニット（22a〜22d）は、それぞれに形成された吸込口及び吹出口の全てが同一の室内空間に連通するように設置されている。つまり、各室内ユニット（22a〜22d）は、同一の室内空間から室内空気を吸い込み、室内熱交換器（36a〜36d）を通過した室内空気を同一の室内空間へ吹き出す。
【００２８】
〈外気処理機の構成〉
空調システム（10）を構成する外気処理機（50）は、一台の圧縮機ユニット（51）と、二台の調湿ユニット（52a,52b）とを備えている。この外気処理機（50）では、圧縮機ユニット（51）と各調湿ユニット（52a,52b）を配管で接続することによって調湿用冷媒回路（60）が形成されている。なお、圧縮機ユニット（51）及び調湿ユニットの台数は、単なる例示である。
【００２９】
圧縮機ユニット（51）には、圧縮機側回路（70）が収容されている。圧縮機側回路（70）には、調湿用圧縮機（71）と、アキュームレータ（72）と、高圧側閉鎖弁（73）と、低圧側閉鎖弁（74）とが設けられている。圧縮機側回路（70）において、調湿用圧縮機（71）は、その吐出側が高圧側閉鎖弁（73）に接続され、この吸入側がアキュームレータ（72）を介して低圧側閉鎖弁（74）に接続されている。
【００３０】
調湿用圧縮機（71）は、いわゆる全密閉型の圧縮機である。調湿用圧縮機（71）の電動機には、図外のインバータを介して電力が供給される。インバータから電動機へ供給される交流の周波数（即ち、調湿用圧縮機（71）の運転周波数）を変化させると、電動機の回転速度が変化し、その結果、調湿用圧縮機（71）の運転容量が変化する。
【００３１】
図２にも示すように、各調湿ユニット（52a,52b）には、調湿用回路（80a,80b）が一つずつ収容されている。各調湿用回路（80a,80b）には、四方切換弁（83a,83b）と、第１吸着熱交換器（81a,81b）と、第２吸着熱交換器（82a,82b）と、調湿用膨張弁（84a,84b）とが一つずつ設けられている。
【００３２】
各調湿用回路（80a,80b）において、四方切換弁（83a,83b）は、その第１のポートが調湿用回路（80a,80b）の高圧側端に接続され、その第２のポートが調湿用回路（80a,80b）の低圧側端に接続されている。また、各調湿用回路（80a,80b）では、四方切換弁（83a,83b）の第３のポートから第４のポートに向かって順に、第１吸着熱交換器（81a,81b）と、調湿用膨張弁（84a,84b）と、第２吸着熱交換器（82a,82b）とが配置されている。各調湿用回路（80a,80b）は、それぞれの高圧側端が高圧側連絡配管（61）を介して圧縮機側回路（70）の高圧側閉鎖弁（73）に接続され、それぞれの低圧側端が低圧側連絡配管（62）を介して圧縮機側回路（70）の低圧側閉鎖弁（74）に接続されている。
【００３３】
第１吸着熱交換器（81a,81b）と第２吸着熱交換器（82a,82b）は、何れもフィン・アンド・チューブ型の熱交換器の表面にゼオライト等の吸着剤を担持させたものである。これら吸着熱交換器（81a,82a,81b,82b）では、その表面に担持された吸着剤が冷媒によって加熱され又は冷却され、そこを通過する空気が吸着剤と接触する。各四方切換弁（83a,83b）は、第１のポートが第３のポートに連通し且つ第２のポートが第４のポートに連通する第１状態（図２(Ａ)に示す状態）と、第１のポートが第４のポートに連通連通し且つ第２のポートが第３のポートに連通する第２状態（図２(Ｂ)に示す状態）とに切り換わる。
【００３４】
各調湿ユニット（52a,52b）には、給気ファン（53a,53b）と排気ファン（54a,54b）とが収容されている。また、各調湿ユニット（52a,52b）には、空気通路が形成されている。各調湿ユニット（52a,52b）では、図外のダンパを開閉することによって、空気の流通経路が切り換え可能となっている。そして、各調湿ユニット（52a,52b）は、室内空気と室外空気を吸い込むと共に、吸着熱交換器（81a,82a,81b,82b）を通過した室内空気を室外へ排出し、吸着熱交換器（81a,82a,81b,82b）を通過した室外空気を室内へ供給するように構成されている。
【００３５】
具体的に、各調湿ユニット（52a,52b）では、吸着熱交換器（81a,82a,81b,82b）の上流側における空気の流通経路が、室内空気が第１吸着熱交換器（81a,81b）へ送られて室外空気が第２吸着熱交換器（82a,82b）へ送られる状態（図２(Ａ)に示す状態）と、室内空気が第２吸着熱交換器（82a,82b）へ送られて室外空気が第１吸着熱交換器（81a,81b）へ送られる状態（図２(Ｂ)に示す状態）とに切り換え可能となっている。また、各調湿ユニット（52a,52b）では、吸着熱交換器（81a,82a,81b,82b）の下流側における空気の流通経路が、第１吸着熱交換器（81a,81b）を通過した空気が排気ファン（54a,54b）へ送られて第２吸着熱交換器（82a,82b）を通過した空気が給気ファン（53a,53b）へ送られる状態（図２(Ａ)に示す状態）と、第１吸着熱交換器（81a,81b）を通過した空気が給気ファン（53a,53b）へ送られて第２吸着熱交換器（82a,82b）を通過した空気が排気ファン（54a,54b）へ送られる状態（図２(Ｂ)に示す状態）とに切り換え可能となっている。
【００３６】
各調湿ユニット（52a,52b）には、室内温度センサ（55a,55b）と、室内湿度センサ（56a,56b）と、室外温度センサ（57a,57b）と、室外湿度センサ（58a,58b）とが設けられている。これらのセンサ（53a,54,…,53b,54b,…）は、空気の流通経路における吸着熱交換器（81a,82a,81b,82b）の上流側に設置されている。室内温度センサ（55a,55b）は、調湿ユニット（52a,52b）へ吸い込まれた室内空気の温度を計測する。室内湿度センサ（56a,56b）は、調湿ユニット（52a,52b）へ吸い込まれた室内空気の相対湿度を計測する。室外温度センサ（57a,57b）は、調湿ユニット（52a,52b）へ吸い込まれた室外空気の温度を計測する。室外湿度センサ（58a,58b）は、調湿ユニット（52a,52b）へ吸い込まれた室外空気の相対湿度を計測する。
【００３７】
図示しないが、各調湿ユニット（52a,52b）には、室内空気の吸込口及び吹出口と、室外空気の吸込口及び吹出口とが形成されている。各調湿ユニット（52a,52b）は、それぞれに形成された室内空気の吸込口及び吹出口の全てが同一の室内空間に連通するように設置されている。つまり、各調湿ユニット（52a,52b）は、同一の室内空間から室内空気を吸い込んで室外へ排出し、取り込んだ室外空気を同一の室内空間へ供給する。
【００３８】
また、各調湿ユニット（52a,52b）に形成された室内空気の吸込口及び吹出口が連通する室内空間は、空調機（20）の各室内ユニット（22a〜22d）の吸込口及び吹出口が連通する室内空間と同一の空間である。つまり、本実施形態の空調システム（10）では、各調湿ユニット（52a,52b）に形成された室内空気の吸込口及び吹出口と、各室内ユニット（22a〜22d）に形成された吸込口及び吹出口とは、何れも共通の室内空間に連通している。
【００３９】
〈制御システムの構成〉
上述したように、空調システム（10）の制御システム（90）は、空調側コントローラ（91）と調湿側コントローラ（92a,92b）とによって構成されている。
【００４０】
空調側コントローラ（91）は、空調機（20）の室外ユニット（21）に収容されている。空調側コントローラ（91）には、低圧センサ（27）や高圧センサ（26）の計測値が入力される。また、空調側コントローラ（91）には、ユーザーによって設定された室内温度の目標値（即ち、目標室内温度Ｔs）が、図外のリモコンを介して入力される。
【００４１】
空調側コントローラ（91）は、空調機（20）の運転動作を制御するように構成されている。空調機（20）の冷房運転中において、空調側コントローラ（91）は、空調用圧縮機（41）に接続されたインバータの出力周波数を、室内の顕熱負荷に応じて調節する。つまり、空調側コントローラ（91）は、室内の顕熱負荷に応じて空調用圧縮機（41）の運転容量を調節するように構成されている。
【００４２】
調湿側コントローラ（92a,92b）は、外気処理機（50）の調湿ユニット（52a,52b）に一つずつ収容されている。各調湿側コントローラ（92a,92b）には、室内湿度の目標値（即ち、目標室内湿度Ｈs）が、図外のリモコンを介して入力される。第１の調湿ユニット（52a）に設けられた調湿側コントローラ（92a）には、第１の調湿ユニット（52a）に設けられた室内温度センサ（55a）、室内湿度センサ（56a）、室外温度センサ（57a）、及び室外湿度センサ（58a）の計測値が入力される。この調湿側コントローラ（92a）は、第１の調湿ユニット（52a）の運転動作を制御するように構成されている。第２の調湿ユニット（52b）に設けられた調湿側コントローラ（92b）には、第２の調湿ユニット（52b）に設けられた室内温度センサ（55b）、室内湿度センサ（56b）、室外温度センサ（57b）、及び室外湿度センサ（58b）の計測値が入力される。この調湿側コントローラ（92b）は、第２の調湿ユニット（52b）の運転動作を制御するように構成されている。
【００４３】
第１の調湿ユニット（52a）に設けられた調湿側コントローラ（92a）は、調湿用圧縮機（71）の運転制御と、空調側コントローラ（91）に対する目標蒸発温度Ｔesの送信とを行うように構成されている。外気処理機（50）の運転中において、調湿側コントローラ（92a）は、調湿用圧縮機（71）に接続されたインバータの出力周波数を、室内の潜熱負荷に応じて調節する。つまり、調湿側コントローラ（92a）は、室内の潜熱負荷に応じて調湿用圧縮機（71）の運転容量を調節するように構成されている。また、空調機（20）の冷房運転中において、調湿側コントローラ（92a）は、空調用冷媒回路（30）における冷媒蒸発温度の目標値（即ち、目標蒸発温度Ｔes）を算出して空調側コントローラ（91）へ送信する。
【００４４】
また、調湿側コントローラ（92a）は、目標蒸発温度Ｔesを算出するために室内空気の露点温度Ｔdpを算出するように構成されている。具体的に、調湿側コントローラ（92a）は、第１の調湿ユニット（52a）に設けられた室内温度センサ（55a）及び室内湿度センサ（56a）の計測値を用いて室内空気の露点温度Ｔdpを算出する。本実施形態では、調湿側コントローラ（92a）と、室内温度センサ（55a）と、室内湿度センサ（56a）とによって露点温度検出手段が構成されている。
【００４５】
なお、本実施形態では、第１の調湿ユニット（52a）に設けられた調湿側コントローラ（92a）が調湿用圧縮機（71）の運転制御と、空調側コントローラ（91）に対する目標蒸発温度Ｔesの送信とを行うように構成されているが、これは単なる一例である。つまり、本実施形態のような複数台の調湿ユニット（52a,52b）を備える外気処理機（50）では、各調湿ユニット（52a,52b）に設けられた調湿側コントローラ（92a,92b）のうちの一つが、調湿用圧縮機（71）の運転制御と、空調側コントローラ（91）に対する目標蒸発温度Ｔesの送信とを行うように構成されていればよい。
【００４６】
−運転動作−
空調システム（10）の運転動作について説明する。本実施形態の空調システム（10）において、空調機（20）では冷房運転と暖房運転が切り換え可能となり、外気処理機（50）では除湿運転と加湿運転が切り換え可能となっている。この空調システム（10）では、空調機（20）の冷房運転中に外気処理機（50）が除湿運転を行う場合もあれば加湿運転を行う場合も有り得る。また、この空調システム（10）では、空調機（20）の暖房運転中に外気処理機（50）が除湿運転を行う場合もあれば加湿運転を行う場合も有り得る。
【００４７】
〈空調機の運転動作〉
上述したように、空調機（20）では、冷房運転と暖房運転とが切り換え可能となっている。冷房運転中と暖房運転中の何れにおいても、空調機（20）の空調用冷媒回路（30）では、冷媒を循環させることによって蒸気圧縮冷凍サイクルが行われる。
【００４８】
空調機（20）の冷房運転について説明する。冷房運転中の空調用冷媒回路（30）では、四方切換弁（43）が第１状態（図１に実線で示す状態）に設定され、室外膨張弁（45）が全開状態に設定され、各室内膨張弁（37a〜37d）の開度が適宜調節される。また、冷房運転中の空調用冷媒回路（30）では、室外熱交換器（44）が凝縮器として動作し、各室内熱交換器（36a〜36d）が蒸発器として動作する。
【００４９】
冷房運転中の空調用冷媒回路（30）における冷媒の流れを具体的に説明する。空調用圧縮機（41）から吐出された高圧冷媒は、四方切換弁（43）を通過後に室外熱交換器（44）へ流入し、室外空気へ放熱して凝縮する。室外熱交換器（44）から流出した冷媒は、室外膨張弁（45）とレシーバ（46）を通過後に液側連絡配管（31）へ流入し、各室内回路（35a〜35d）へ分配される。各室内回路（35a〜35d）へ流入した冷媒は、室内膨張弁（37a〜37d）を通過する際に減圧されて低圧冷媒となり、その後に室内熱交換器（36a〜36d）へ流入し、室内空気から吸熱して蒸発する。各室内回路（35a〜35d）において室内熱交換器（36a〜36d）から流出した冷媒は、ガス側連絡配管（32）へ流入して合流した後に室外回路（40）へ流入し、四方切換弁（43）を通過後に空調用圧縮機（41）へ吸入されて圧縮される。
【００５０】
上述したように、冷房運転中には、各室内熱交換器（36a〜36d）が蒸発器として動作する。各室内ユニット（22a〜22d）は、吸い込んだ室内空気を室内熱交換器（36a〜36d）において冷却した後に室内へ送り返す。
【００５１】
空調機（20）の暖房運転について説明する。暖房運転中の空調用冷媒回路（30）では、四方切換弁（43）が第２状態（図１に破線で示す状態）に設定され、室外膨張弁（45）及び各室内膨張弁（37a〜37d）の開度が適宜調節される。また、暖房運転中の空調用冷媒回路（30）では、各室内熱交換器（36a〜36d）が凝縮器として動作し、室外熱交換器（44）が蒸発器として動作する。
【００５２】
暖房運転中の空調用冷媒回路（30）における冷媒の流れを具体的に説明する。空調用圧縮機（41）から吐出された冷媒は、四方切換弁（43）を通過後にガス側連絡配管（32）へ流入し、各室内回路（35a〜35d）へ分配される。各室内回路（35a〜35d）へ流入した冷媒は、室内熱交換器（36a〜36d）へ流入し、室内空気へ放熱して凝縮する。各室内回路（35a〜35d）において室内熱交換器（36a〜36d）から流出した冷媒は、室内膨張弁（37a〜37d）を通過後に液側連絡配管（31）へ流入して合流してから室外回路（40）へ流入する。室外回路（40）へ流入した冷媒は、レシーバ（46）を通過後に室外膨張弁（45）へ流入し、室外膨張弁（45）を通過する際に減圧されて低圧冷媒となる。室外膨張弁（45）を通過した冷媒は、室外熱交換器（44）へ流入し、室外空気から吸熱して蒸発する。室外熱交換器（44）から流出した冷媒は、四方切換弁（43）を通過後に空調用圧縮機（41）へ吸入されて圧縮される。
【００５３】
上述したように、暖房運転中には、各室内熱交換器（36a〜36d）が凝縮器として動作する。各室内ユニット（22a〜22d）は、吸い込んだ室内空気を室内熱交換器（36a〜36d）において加熱した後に室内へ送り返す。
【００５４】
〈外気処理機の運転動作〉
上述したように、外気処理機（50）では、除湿運転と加湿運転とが切り換え可能となっている。除湿運転中と加湿運転中の何れにおいても、外気処理機（50）の調湿用冷媒回路（60）では、冷媒を循環させることによって蒸気圧縮冷凍サイクルが行われる。
【００５５】
外気処理機（50）の除湿運転について、図２を参照しながら説明する。除湿運転中において、各調湿ユニット（52a,52b）は、第１動作と第２動作を交互に所定の時間毎（例えば３分間毎）に切り換えて行う。なお、各調湿ユニット（52a,52b）における第１動作と第２動作の相互切り換えのタイミングは、互いに同期している必要はない。
【００５６】
図２(Ａ)に示すように、第１動作中の調湿ユニット（52a,52b）では、四方切換弁（83a,83b）が第１状態に設定され、調湿用膨張弁（84a,84b）の開度が適宜調節される。そして、第１動作中の調湿用回路（80a,80b）では、第１吸着熱交換器（81a,81b）が凝縮器として動作し、第２吸着熱交換器（82a,82b）が蒸発器として動作する。第１吸着熱交換器（81a,81b）では、その表面に担持された吸着剤が冷媒によって加熱される。第２吸着熱交換器（82a,82b）では、その表面に担持された吸着剤が冷媒によって冷却される。
【００５７】
第１動作中の調湿用回路（80a,80b）における冷媒の流れを具体的に説明する。調湿用回路（80a,80b）の高圧側端には、調湿用圧縮機（71）から吐出された高圧冷媒が高圧側連絡配管（61）を通じて供給される。調湿用回路（80a,80b）へ流入した高圧冷媒は、四方切換弁（83a,83b）を通過後に第１吸着熱交換器（81a,81b）へ流入して凝縮する。第１吸着熱交換器（81a,81b）から流出した冷媒は、調湿用膨張弁（84a,84b）を通過する際に減圧されて低圧冷媒となり、その後に第２吸着熱交換器（82a,82b）へ流入して蒸発する。第２吸着熱交換器（82a,82b）から流出した冷媒は、四方切換弁（83a,83b）を通過後に低圧側連絡配管（62）へ流入し、その後に調湿用圧縮機（71）へ吸入されて圧縮される。
【００５８】
また、図２(Ａ)に示すように、第１動作中の調湿ユニット（52a,52b）では、室内空気が第１吸着熱交換器（81a,81b）へ送られ、室外空気が第２吸着熱交換器（82a,82b）へ送られる。第１吸着熱交換器（81a,81b）では、加熱された吸着剤から脱離した水分が室内空気に付与される。第１吸着熱交換器（81a,81b）を通過する際に加湿された室内空気は、排気ファン（54a,54b）に吸い込まれ、その後に室外へ排出される。一方、第２吸着熱交換器（82a,82b）では、室外空気中の水分が吸着剤に吸着され、その際に生じた吸着熱が冷媒に吸熱される。第２吸着熱交換器（82a,82b）を通過する際に除湿された室外空気は、給気ファン（53a,53b）に吸い込まれ、その後に室内へ供給される。
【００５９】
図２(Ｂ)に示すように、第２動作中の調湿ユニット（52a,52b）では、四方切換弁（83a,83b）が第２状態に設定され、調湿用膨張弁（84a,84b）の開度が適宜調節される。そして、第２動作中の調湿用回路（80a,80b）では、第２吸着熱交換器（82a,82b）が凝縮器として動作し、第１吸着熱交換器（81a,81b）が蒸発器として動作する。第２吸着熱交換器（82a,82b）では、その表面に担持された吸着剤が冷媒によって加熱される。第１吸着熱交換器（81a,81b）では、その表面に担持された吸着剤が冷媒によって冷却される。
【００６０】
第２動作中の調湿用回路（80a,80b）における冷媒の流れを具体的に説明する。調湿用回路（80a,80b）の高圧側端には、調湿用圧縮機（71）から吐出された高圧冷媒が高圧側連絡配管（61）を通じて供給される。調湿用回路（80a,80b）へ流入した高圧冷媒は、四方切換弁（83a,83b）を通過後に第２吸着熱交換器（82a,82b）へ流入して凝縮する。第２吸着熱交換器（82a,82b）から流出した冷媒は、調湿用膨張弁（84a,84b）を通過する際に減圧されて低圧冷媒となり、その後に第１吸着熱交換器（81a,81b）へ流入して蒸発する。第１吸着熱交換器（81a,81b）から流出した冷媒は、四方切換弁（83a,83b）を通過後に低圧側連絡配管（62）へ流入し、その後に調湿用圧縮機（71）へ吸入されて圧縮される。
【００６１】
また、図２(Ｂ)に示すように、第２動作中の調湿ユニット（52a,52b）では、室内空気が第２吸着熱交換器（82a,82b）へ送られ、室外空気が第１吸着熱交換器（81a,81b）へ送られる。第２吸着熱交換器（82a,82b）では、加熱された吸着剤から脱離した水分が室内空気に付与される。第２吸着熱交換器（82a,82b）を通過する際に加湿された室内空気は、排気ファン（54a,54b）に吸い込まれ、その後に室外へ排出される。一方、第１吸着熱交換器（81a,81b）では、室外空気中の水分が吸着剤に吸着され、その際に生じた吸着熱が冷媒に吸熱される。第１吸着熱交換器（81a,81b）を通過する際に除湿された室外空気は、給気ファン（53a,53b）に吸い込まれ、その後に室内へ供給される。
【００６２】
外気処理機（50）の加湿運転について、図３を参照しながら説明する。加湿運転中において、各調湿ユニット（52a,52b）は、第１動作と第２動作を交互に所定の時間毎（例えば３分間毎）に切り換えて行う。なお、各調湿ユニット（52a,52b）における第１動作と第２動作の相互切り換えのタイミングは、互いに同期している必要はない。
【００６３】
図３(Ａ)に示すように、第１動作中の調湿ユニット（52a,52b）では、四方切換弁（83a,83b）が第１状態に設定され、調湿用膨張弁（84a,84b）の開度が適宜調節される。そして、第１動作中の調湿用回路（80a,80b）では、第１吸着熱交換器（81a,81b）が凝縮器として動作し、第２吸着熱交換器（82a,82b）が蒸発器として動作する。第１吸着熱交換器（81a,81b）では、その表面に担持された吸着剤が冷媒によって加熱される。第２吸着熱交換器（82a,82b）では、その表面に担持された吸着剤が冷媒によって冷却される。第１動作中の調湿用回路（80a,80b）における冷媒の流れは、除湿運転の第１動作中の調湿用回路（80a,80b）における冷媒の流れと同じである。
【００６４】
また、図３(Ａ)に示すように、第１動作中の調湿ユニット（52a,52b）では、室外空気が第１吸着熱交換器（81a,81b）へ送られ、室内空気が第２吸着熱交換器（82a,82b）へ送られる。第１吸着熱交換器（81a,81b）では、加熱された吸着剤から脱離した水分が室外空気に付与される。第１吸着熱交換器（81a,81b）を通過する際に加湿された室外空気は、給気ファン（53a,53b）に吸い込まれ、その後に室内へ供給される。一方、第２吸着熱交換器（82a,82b）では、室内空気中の水分が吸着剤に吸着され、その際に生じた吸着熱が冷媒に吸熱される。第２吸着熱交換器（82a,82b）を通過する際に除湿された室内空気は、排気ファン（54a,54b）に吸い込まれ、その後に室外へ排出される。
【００６５】
図３(Ｂ)に示すように、第２動作中の調湿ユニット（52a,52b）では、四方切換弁（83a,83b）が第２状態に設定され、調湿用膨張弁（84a,84b）の開度が適宜調節される。そして、第２動作中の調湿用回路（80a,80b）では、第２吸着熱交換器（82a,82b）が凝縮器として動作し、第１吸着熱交換器（81a,81b）が蒸発器として動作する。第２吸着熱交換器（82a,82b）では、その表面に担持された吸着剤が冷媒によって加熱される。第１吸着熱交換器（81a,81b）では、その表面に担持された吸着剤が冷媒によって冷却される。第２動作中の調湿用回路（80a,80b）における冷媒の流れは、除湿運転の第２動作中の調湿用回路（80a,80b）における冷媒の流れと同じである。
【００６６】
また、図３(Ｂ)に示すように、第２動作中の調湿ユニット（52a,52b）では、室外空気が第２吸着熱交換器（82a,82b）へ送られ、室内空気が第１吸着熱交換器（81a,81b）へ送られる。第２吸着熱交換器（82a,82b）では、加熱された吸着剤から脱離した水分が室外空気に付与される。第２吸着熱交換器（82a,82b）を通過する際に加湿された室内空気は、給気ファン（53a,53b）に吸い込まれ、その後に室内へ供給される。一方、第１吸着熱交換器（81a,81b）では、室内空気中の水分が吸着剤に吸着され、その際に生じた吸着熱が冷媒に吸熱される。第１吸着熱交換器（81a,81b）を通過する際に除湿された室内空気は、排気ファン（54a,54b）に吸い込まれ、その後に室外へ排出される。
【００６７】
〈制御システムの動作〉
空調側コントローラ（91）と調湿側コントローラ（92a,92b）とによって構成された制御システム（90）の動作について説明する。ここでは、空調機（20）が冷房運転を行うと共に外気処理機（50）が除湿運転を行う場合における制御システム（90）の動作について、図４のフロー図を参照しながら説明する。
【００６８】
図外のリモコンに設けられた電源ボタンをユーザーが操作すると、空調システム（10）の電源が投入される。空調システム（10）の電源が投入されると、ステップST１において、室内空気の温度の目標値（目標室内温度Ｔs）と、室内空気の相対湿度の目標値（目標室内湿度Ｈs）とが、第１の調湿ユニット（52a）の調湿側コントローラ（92a）に対してリモコンから入力される。次のステップST２において、調湿側コントローラ（92a）は、第１の調湿ユニット（52a）に設けられた給気ファン（53a）及び排気ファン（54a）を起動する。給気ファン（53a）及び排気ファン（54a）が起動すると、第１の調湿ユニット（52a）へ室内空気と室外空気が取り込まれる。
【００６９】
ステップST３において、調湿側コントローラ（92a）は、第１の調湿ユニット（52a）に設けられた温度センサ（55a,57a）及び湿度センサ（56a,58a）の計測値を読み込む。つまり、調湿側コントローラ（92a）は、室内温度センサ（55a）の計測値Ｔr（即ち、室内空気の温度の実測値）と、室内湿度センサ（56a）の計測値Ｈr（即ち、室内空気の相対湿度の実測値）と、室外温度センサ（57a）の計測値Ｔo（即ち、室外空気の温度の実測値）と、室外湿度センサ（58a）の計測値Ｈo（即ち、室外空気の相対湿度の実測値）とを読み込む。そして、調湿側コントローラ（92a）は、目標除湿量の算出と、室内空気の露点温度Ｔdpの算出と、空調用冷媒回路（30）における蒸発温度の目標値（目標蒸発温度Ｔes）の設定とを行う。
【００７０】
具体的に、調湿側コントローラ（92a）は、目標室内湿度Ｈsと室外湿度センサ（58a）の計測値Ｈo等を用いて各調湿ユニット（52a,52b）に要求される除湿量を算出し、その値を目標除湿量に設定する。また、調湿側コントローラ（92a）は、室内温度センサ（55a）の計測値Ｔrと室内湿度センサ（56a）の計測値Ｈrとを用いて、室内空気の露点温度Ｔdpを算出する。また、調湿側コントローラ（92a）は、目標室内温度Ｔsと室内温度センサ（55a）の計測値Ｔr等を用いて、空調用冷媒回路（30）における目標蒸発温度Ｔesを設定する。その際、調湿側コントローラ（92a）は、目標蒸発温度Ｔesの値を室内空気の露点温度Ｔdpよりも高い値に設定する。
【００７１】
調湿側コントローラ（92a）が目標蒸発温度Ｔesを設定する動作について説明する。調湿側コントローラ（92a）は、目標室内温度Ｔsや室内温度センサ（55a）の計測値Ｔr等と所定の相関式等とを用いて、冷媒蒸発温度の仮の目標値を算出し、この仮の目標値を、室内空気の露点温度Ｔdpよりも高い値（Ｔdp＋γ）に設定された基準値と比較する。“γ”の値は、例えば「１℃」に設定される。そして、調湿側コントローラ（92a）は、算出した冷媒蒸発温度の仮の目標値が基準値（Ｔdp＋γ）よりも高ければ、算出した仮の目標値を目標蒸発温度Ｔesとする一方、算出した仮の目標値が基準値以下であれば、基準値（Ｔdp＋γ）を目標蒸発温度Ｔesとする。調湿側コントローラ（92a）は、設定した目標蒸発温度Ｔesを空調側コントローラ（91）へ送信する。
【００７２】
ステップST３が終了すると、ステップST４とステップST６が並行して実行される。
【００７３】
ステップST４では、空調側コントローラ（91）が、空調用圧縮機（41）を起動して空調機（20）に冷房運転を開始させる。ステップST４に続くステップST５において、空調側コントローラ（91）は、低圧センサ（27）の計測値ＬＰ（即ち、空調用圧縮機（41）へ吸入される冷媒の圧力の実測値）を読み込み、この低圧センサ（27）の計測値ＬＰを用いて空調用冷媒回路（30）における冷媒の蒸発温度Ｔeを算出する。
【００７４】
そして、ステップST４において、空調側コントローラ（91）は、算出した冷媒蒸発温度Ｔeが目標蒸発温度Ｔesとなるように、空調用圧縮機（41）の運転容量を調節する。具体的に、空調側コントローラ（91）は、算出した冷媒蒸発温度Ｔeが目標蒸発温度Ｔesを下回っている場合は空調用圧縮機（41）の運転周波数を引き下げ、算出した冷媒蒸発温度Ｔeが目標蒸発温度Ｔesを上回っている場合は空調用圧縮機（41）の運転周波数を引き上げる。
【００７５】
一方、ステップST６では、調湿側コントローラ（92a）が、調湿用圧縮機（71）を起動して外気処理機（50）に除湿運転を開始させる。ステップST６に続くステップST７において、調湿側コントローラ（92a）は、調湿ユニット（52a,52b）に要求される除湿量を算出し、除湿量の算出値が目標除湿量となるように調湿用圧縮機（71）の運転容量を調節する。具体的に、調湿側コントローラ（92a）は、除湿量の算出値が目標除湿量を上回っている場合は調湿用圧縮機（71）の運転周波数を引き下げ、除湿量の算出値が目標除湿量を下回っている場合は調湿用圧縮機（71）の運転周波数を引き上げる。
【００７６】
ステップST５とステップST７が終了すると、ステップST８へ移行し、調湿側コントローラ（92a）がステップST３における動作と同じ動作を行う。つまり、調湿側コントローラ（92a）は、室内温度センサ（55a）、室内湿度センサ（56a）、室外温度センサ（57a）、及び室外湿度センサ（58a）の計測値を読み込み、目標除湿量の算出と、室内空気の露点温度Ｔdpの算出と、空調用冷媒回路（30）における蒸発温度の目標値（目標蒸発温度Ｔes）の設定とを行う。
【００７７】
ステップST８が終了すると、ステップST９とステップST１１が並行して実行される。
【００７８】
ステップST９では、空調側コントローラ（91）が、室内温度センサ（55a）の計測値Ｔrを読み込み、この計測値Ｔrから目標室内温度Ｔsを差し引いた値“Ｔr−Ｔs”と、所定の基準値“−α”とを比較する。なお、“α”の値は、例えば「１℃」に設定される。
【００７９】
ステップST９において“Ｔr−Ｔs”が“−α”よりも大きい場合（Ｔr−Ｔs＞−α）は、室内空気の温度が充分に下がっておらず、従って室内空気の冷却を継続して行う必要があると判断できる。そこで、この場合、制御システム（90）は、ステップST５へ戻り、その後、ステップST８とステップST９を順に実行する。つまり、“Ｔr−Ｔs”が“−α”よりも大きい状態が続けば、制御システム（90）では、ステップST５とステップST８とステップST９とが所定の時間毎（例えば１５秒毎）に繰り返し実行される。
【００８０】
一方、ステップST９において“Ｔr−Ｔs”が“−α”以下の場合（Ｔr−Ｔs≦−α）は、室内空気の温度が充分に下がっており、従って室内空気を冷却し続ける必要はないと判断できる。そこで、この場合、制御システム（90）は、ステップST１０へ移行する。ステップST１０では、空調側コントローラ（91）が空調用圧縮機（41）を停止させる。また、空調側コントローラ（91）は、室外ファン（23）と各室内ファン（24a〜24d）も併せて停止させる。
【００８１】
ステップST１１では、調湿側コントローラ（92a）が、室内湿度センサ（56a）の計測値Ｈrを読み込み、この計測値Ｈrから目標室内湿度Ｈsを差し引いた値“Ｈr−Ｈs”と、所定の基準値“−β”とを比較する。なお、“β”の値は、例えば「３％」に設定される。
【００８２】
ステップST１１において“Ｈr−Ｈs”が“−β”よりも大きい場合（Ｈr−Ｈs＞−β）は、室内空気の相対湿度が充分に下がっておらず、従って室内へ供給される室外空気の除湿を継続して行う必要があると判断できる。そこで、この場合、制御システム（90）は、ステップST７へ戻り、その後、ステップST８とステップST１１を順に実行する。つまり、“Ｈr−Ｈs”が“−β”よりも大きい状態が続けば、制御システム（90）では、ステップST７とステップST８とステップST１１とが所定の時間毎（例えば１５秒毎）に繰り返し実行される。
【００８３】
一方、ステップST９において“Ｈr−Ｈs”が“−β”以下の場合（Ｈr−Ｈs≦−β）は、室内空気の相対湿度が充分に下がっており、従って室内へ供給される室外空気を除湿し続ける必要はないと判断できる。そこで、この場合、制御システム（90）は、ステップST１２へ移行する。ステップST１２では、調湿側コントローラ（92a）が調湿用圧縮機（71）を停止させる。ただし、調湿側コントローラ（92a）は、室内の換気を継続して行う必要があるため、各調湿ユニット（52a,52b）の給気ファン（53a,53b）及び排気ファン（54a,54b）の運転を継続させる。
【００８４】
ステップST１０において空調側コントローラ（91）が空調用圧縮機（41）を停止させた場合、又はステップST１２において調湿側コントローラ（92a）が調湿用圧縮機（71）を停止させた場合は、ステップST１３が実行される。ステップST１３では、調湿側コントローラ（92a）がステップST３における動作と同じ動作を行う。つまり、調湿側コントローラ（92a）は、室内温度センサ（55a）、室内湿度センサ（56a）、室外温度センサ（57a）、及び室外湿度センサ（58a）の計測値を読み込み、目標除湿量の算出と、室内空気の露点温度Ｔdpの算出と、空調用冷媒回路（30）における蒸発温度の目標値（目標蒸発温度Ｔes）の設定とを行う。
【００８５】
制御システム（90）は、ステップST１０を経てステップST１３へ至った場合は、続いてステップST１４へ移行する。ステップST１４では、空調側コントローラ（91）が、室内温度センサ（55a）の計測値Ｔrを読み込み、この計測値Ｔrから目標室内温度Ｔsを差し引いた値“Ｔr−Ｔs”と、所定の基準値“α”とを比較する。
【００８６】
ステップST１４において“Ｔr−Ｔs”が“α”未満の場合（Ｔr−Ｔs＜α）は、室内空気の温度が充分に低いままであり、従って室内空気の冷却を再開する必要はないと判断できる。そこで、この場合、制御システム（90）は、空調機（20）を休止状態に保ったままでステップST１３へ戻り、調湿側コントローラ（92a）が所定の動作を行うと再びステップST１４へ移行する。つまり、“Ｔr−Ｔs”が“α”未満の状態が続けば、制御システム（90）では、ステップST１３とステップST１４とが所定の時間毎（例えば１５秒毎）に繰り返し実行される。
【００８７】
一方、ステップST１４において“Ｔr−Ｔs”が“α”以上の場合（Ｔr−Ｔs≧α）は、室内空気の温度が上昇してきており、従って、室内空気の冷却を再開させる必要があると判断できる。そこで、この場合、制御システム（90）は、ステップST１５へ移行する。ステップST１５では、空調側コントローラ（91）が空調用圧縮機（41）を起動させる。また、空調側コントローラ（91）は、室外ファン（23）と各室内ファン（24a〜24d）も併せて起動させる。その後、制御システム（90）は、ステップST５へ戻る。そして、制御システム（90）では、再びステップST９において“Ｔr−Ｔs”が“−α”以下（Ｔr−Ｔs≦−α）と判断されるまでの間は、ステップST５とステップST８とステップST９とが順に繰り返し実行される。
【００８８】
制御システム（90）は、ステップST１２を経てステップST１３へ至った場合は、続いてステップST１６へ移行する。ステップST１６では、調湿側コントローラ（92a）が、室内湿度センサ（56a）の計測値Ｈrを読み込み、この計測値Ｈrから目標室内湿度Ｈsを差し引いた値“Ｈr−Ｈs”と、所定の基準値“β”とを比較する。
【００８９】
ステップST１６において“Ｈr−Ｈs”が“β”未満の場合（Ｈr−Ｈs＜β）は、室内空気の相対湿度が充分に低いままであり、従って室内へ供給される室外空気の除湿を再開する必要はないと判断できる。そこで、この場合、制御システム（90）は、外気処理機（50）を休止状態に保ったままでステップST１３へ戻り、調湿側コントローラ（92a）が所定の動作を行うと再びステップST１６へ移行する。つまり、“Ｈr−Ｈs”が“β”未満の状態が続けば、制御システム（90）では、ステップST１３とステップST１６とが所定の時間毎（例えば１５秒毎）に繰り返し実行される。
【００９０】
一方、ステップST１６において“Ｈr−Ｈs”が“β”以上の場合（Ｈr−Ｈs≧β）は、室内空気の相対湿度が上昇してきており、従って、室内へ供給される室外空気の除湿を再開させる必要があると判断できる。そこで、この場合、制御システム（90）は、ステップST１７へ移行する。ステップST１７では、調湿側コントローラ（92a）が調湿用圧縮機（71）を起動させる。その後、制御システム（90）は、ステップST７へ戻る。そして、制御システム（90）では、再びステップST１１において“Ｈr−Ｈs”が“−β”以下（Ｈr−Ｈs≦−β）と判断されるまでの間は、ステップST７とステップST８とステップST１１とが順に繰り返し実行される。
【００９１】
−実施形態１の効果−
本実施形態の空調システム（10）において、外気処理機（50）では室内へ供給される空気の湿度調節が行われる一方、冷房運転中の空調機（20）では冷媒の蒸発温度が室内空気の露点温度よりも高い値に保たれる。このように、本実施形態の空調システム（10）には、外気処理機（50）が空気の湿度調節を行うので空調機（20）は空気の温度だけを調節すればよいという特性がある。そこで、本実施形態では、冷房運転中の空調機（20）における冷媒の蒸発温度を室内空気の露点温度よりも高い値に保ち、空調機（20）において空気の温度だけを調節するようにしている。このため、空調機（20）の空調用冷媒回路（30）では、冷媒の蒸発温度を、空調機（20）の室内ユニット（22a〜22d）において空気の除湿をも行う場合に比べて高い値に設定することができる。
【００９２】
従って、本実施形態によれば、冷房運転中の空調機（20）の空調用冷媒回路（30）における低圧圧力（即ち、冷媒の蒸発圧力）を高く設定することができ、空調用冷媒回路（30）が行う冷凍サイクルの高圧と低圧の差を縮小することができる。その結果、空調用冷媒回路（30）の空調用圧縮機（41）の消費電力を削減でき、空調機（20）の運転効率を向上させることができる。
【００９３】
《発明の実施形態２》
本発明の実施形態２について説明する。本実施形態は、上記実施形態の空調システム（10）において、制御システム（90）が行う動作を変更したものである。ここでは、本実施形態の制御システム（90）について、上記実施形態１と異なる点を説明する。
【００９４】
本実施形態において、第１の調湿ユニット（52a）に設けられた調湿側コントローラ（92a）は、上記実施形態１において行う動作に加えて、各室内ユニット（22a〜22d）に設けられた室内ファン（24a〜24d）の送風量の目標値（目標風量）を設定する動作を行うように構成される。調湿側コントローラ（92a）は、設定した室内ユニット（22a〜22d）の目標風量を、空調側コントローラ（91）へ送信する。また、本実施形態において、空調側コントローラ（91）は、調湿側コントローラ（92a）から送信された室内ユニット（22a〜22d）の目標風量に基づいて各室内ファン（24a〜24d）の回転速度を調節する動作を行うように構成されている。
【００９５】
−制御システムの動作−
本実施形態の制御システム（90）が行う動作について説明する。
【００９６】
図５のフロー図に示すように、本実施形態の制御システム（90）が行う動作では、ステップST３とステップST５における動作が、上記実施形態１における動作と異なっている。ここでは、本実施形態の制御システム（90）が行う動作について、上記実施形態１と制御システム（90）が行う動作と異なる点を説明する。
【００９７】
ステップST３において、調湿側コントローラ（92a）は、上記実施形態１の制御システム（90）のステップST３において調湿側コントローラ（92a）が行う動作に加えて、各室内ユニット（22a〜22d）に設けられた室内ファン（24a〜24d）の送風量の目標値（目標風量）を設定する動作を行う。
【００９８】
調湿側コントローラ（92a）が室内ファン（24a〜24d）の目標風量を設定する動作について説明する。ステップST３において、調湿側コントローラ（92a）は、上記実施形態１と同様に、空調用冷媒回路（30）における目標蒸発温度Ｔesを、室内空気の露点温度Ｔdpよりも高い値に設定する。そして、調湿側コントローラ（92a）は、この目標蒸発温度Ｔesに応じて室内ファン（24a〜24d）の目標風量を設定し、設定した目標風量を空調側コントローラ（91）へ送信する。
【００９９】
上述したように、調湿側コントローラ（92a）は、目標蒸発温度Ｔesを、室内空気の露点温度Ｔdpよりも高い値に設定する。このため、室内空気の露点温度Ｔdpが高くなると、それに伴って目標蒸発温度Ｔesも高くなる。そして、空調用冷媒回路（30）における目標蒸発温度Ｔesが高くなると、冷房運転中の室内熱交換器（36a〜36d）における冷媒と空気の温度差が縮小し、室内ユニット（22a〜22d）で得られる冷房能力が減少するおそれがある。
【０１００】
一方、冷房運転中の室内熱交換器（36a〜36d）における冷媒と空気の温度差が小さくなっても、室内熱交換器（36a〜36d）を通過する空気の流量を増やせば、室内熱交換器（36a〜36d）において冷媒が空気から吸熱する熱量の減少を抑えられる。そこで、調湿側コントローラ（92a）は、空調用冷媒回路（30）における目標蒸発温度Ｔesが高くなるにつれて、室内熱交換器（36a〜36d）を通過する空気の風量を増やすために、室内ファン（24a〜24d）の目標風量の値を高くする。調湿側コントローラ（92a）は、この動作を能力保持動作として行う。
【０１０１】
ステップST５において、空調側コントローラ（91）は、空調用圧縮機（41）の運転容量の制御に加えて、室内ファン（24a〜24d）の回転速度の制御を行う。具体的に、空調側コントローラ（91）は、室内ファン（24a〜24d）によって室内熱交換器（36a〜36d）へ供給される空気の流量が調湿側コントローラ（92a）から送信された目標風量となるように、室内ファン（24a〜24d）の回転速度を調節する。
【０１０２】
−実施形態２の効果−
本実施形態では、制御システム（90）の調湿側コントローラ（92a）が能力保持動作を行って蒸発器となる室内熱交換器（36a〜36d）の通過風量を増やすことで、空調用冷媒回路（30）における冷媒の蒸発温度が比較的高い値になった状態でも、室内ユニット（22a〜22d）の冷房能力の低下を抑えている。従って、本実施形態によれば、空調用冷媒回路（30）における冷媒の蒸発温度が室内空気の露点温度よりも高い値（即ち、一般的な空調機よりも高い値）に設定された状態においても、空調機（20）の冷房能力の低下を抑えて室内の快適性を確保することができる。
【０１０３】
−実施形態２の変形例−
本実施形態の制御システム（90）は、室内ユニット（22a〜22d）のうち運転されるものの台数を強制的に増やす動作を、動力保持動作として行うように構成されていてもよい。
【０１０４】
ところで、複数の室内ユニット（22a〜22d）を備える空調機（20）では、リモコンを操作することによってユーザーが各室内ユニット（22a〜22d）の運転と停止を個別に指令できる場合がある。そのような場合には、空調機（20）に設けられた室内ユニット（22a〜22d）のうちの一部だけが運転されて残りが停止したままとなることも有り得る。本変形例の制御システム（90）は、このような各室内ユニット（22a〜22d）の運転と停止を個別に設定できる空調機（20）について有効である。
【０１０５】
ここでは、本変形例の制御システム（90）の調湿側コントローラ（92a）が行う能力保持動作について、第１及び第２の室内ユニット（22a,22b）が運転だけがユーザーによって指令された状態を例に説明する。この状態において、調湿側コントローラ（92a）は、空調用冷媒回路（30）における目標蒸発温度Ｔesが高くなるにつれて、室内ユニット（22a〜22d）のうち運転されるものの台数を強制的に増やす動作を、能力保持動作として行う。つまり、調湿側コントローラ（92a）は、目標蒸発温度Ｔesが高くなり過ぎて第１及び第２の室内ユニット（22a,22b）だけでは充分な冷房能力が得られないと判断した場合には、ユーザーからの運転指令が入力されていない第３の室内ユニット（22c）を強制的に起動させる。また、調湿側コントローラ（92a）は、それでも充分な冷房能力が得られないと判断した場合は、更に第４の室内ユニット（22d）も強制的に起動させる。
【０１０６】
このように、本変形例では、制御システム（90）の調湿側コントローラ（92a）が能力保持動作を行って室内ユニット（22a〜22d）の運転台数を増やすことで、空調用冷媒回路（30）における冷媒の蒸発温度が比較的高い値になった状態でも、空調機（20）の冷房能力の低下を抑えることができる。
【０１０７】
《その他の実施形態》
−第１変形例−
図６に示すように、上記の各実施形態では、各調湿ユニット（52a,52b）に調湿用圧縮機（71a,71b）が一台ずつ搭載されていてもよい。図６に示す空調システム（10）では、外気処理機（50）が二台の調湿ユニット（52a,52b）だけによって構成される。各調湿ユニット（52b）の調湿用回路（80a,80b）において、調湿用圧縮機（71a,71b）は、その吐出側が四方切換弁（83a,83b）の第１のポートに接続され、その吸入側がアキュームレータ（72a,72b）を介して四方切換弁（83a,83b）の第２のポートに接続される。
【０１０８】
−第２変形例−
図７に示すように、上記の各実施形態では、室外ユニット（21）の室外回路（40）に設けられた圧縮機（41）が図１における調湿用圧縮機（71）を兼ねていてもよい。図７に示す空調システム（10）では、一台の室外ユニット（21）と、四台の室内ユニット（22a〜22d）と、二台の調湿ユニット（52a,52b）とを配管で接続することによって、一つの冷媒回路（15）が形成されている。
【０１０９】
具体的に、本変形例では、室外回路（40）の高圧側閉鎖弁（73）と低圧側閉鎖弁（74）とが接続されている。本変形例の室外回路（40）において、高圧側閉鎖弁（73）は圧縮機（41）の吐出側と四方切換弁（43）を繋ぐ配管に接続され、低圧側閉鎖弁（74）はアキュームレータ（42）と四方切換弁（43）を繋ぐ配管に接続されている。そして、実施形態１と同様に、高圧側閉鎖弁（73）には高圧側連絡配管（61）が接続され、低圧側閉鎖弁（74）には低圧側連絡配管（62）が接続される。
【０１１０】
−第３変形例−
上記各実施形態の空調システム（10）では、全ての室内ユニット（22a〜22d）と全ての調湿ユニット（52a,52b）とが同一の室内空間へ空気を供給するように配置されているが、一部の室内ユニット（22a〜22d）又は一部の調湿ユニット（52a,52b）が他のユニットとは異なる室内空間へ空気を供給するように配置されていてもよい。つまり、上記各実施形態の空調システム（10）では、４台の室内ユニット（22a〜22d）の少なくとも一つと、２台の調湿ユニット（52a,52b）のうちの少なくとも一つとが、同一の室内空間へ空気を供給するように配置されていればよい。
【０１１１】
例えば、上記各実施形態の空調システム（10）では、第１及び第２の室内ユニット（22a,22b）と第１及び第２の調湿ユニット（52a,52b）とが同一の室内空間へ空気を供給するように配置される一方、これらユニット（22a,22b,52a,52b）とは別の室内空間へ空気を供給するように第３及び第４の室内ユニット（22c,22d）が配置されていてもよい。
【０１１２】
また、上記各実施形態の空調システム（10）では、第１から第４の各室内ユニット（22a〜22d）と第２の調湿ユニット（52b）とが同一の室内空間へ空気を供給するように配置される一方、これらユニット（22a〜22d,52b）とは別の室内空間へ空気を供給するように第１の調湿ユニット（52a）が配置されていてもよい。この場合には、室内ユニット（22a〜22d）と同一の室内空間へ空気を供給するように配置された第２の調湿ユニット（52b）の調湿側コントローラ（92b）が、上記実施形態１及び２において第１の調湿ユニット（52a）の調湿側コントローラ（92a）が行う動作と同じ動作を実行する。
【０１１３】
なお、以上の実施形態は、本質的に好ましい例示であって、本発明、その適用物、あるいはその用途の範囲を制限することを意図するものではない。
【産業上の利用可能性】
【０１１４】
以上説明したように、本発明は、湿度調節装置と温度調節装置を備える空調システムについて有用である。
【図面の簡単な説明】
【０１１５】
【図１】実施形態１の空調システムの概略構成を示す冷媒回路図である。
【図２】除湿運転中の状態を示す調湿ユニットの概略構成図であって、(Ａ)は第１動作中の状態を示すものであり、(Ｂ)は第２動作中の状態を示すものである。
【図３】加湿運転中の状態を示す調湿ユニットの概略構成図であって、(Ａ)は第１動作中の状態を示すものであり、(Ｂ)は第２動作中の状態を示すものである。
【図４】実施形態１の制御システムの動作を示すフロー図である。
【図５】実施形態２の制御システムの動作を示すフロー図である。
【図６】その他の実施形態の第１変形例の空調システムの概略構成を示す冷媒回路図である。
【図７】その他の実施形態の第２変形例の空調システムの概略構成を示す冷媒回路図である。
【符号の説明】
【０１１６】
10    空調システム
20    空調機（温度調節装置）
30    空調用冷媒回路
41    空調用圧縮機
50    外気処理機（湿度調節装置）
55a   室内温度センサ
56a   室内湿度センサ
90    制御システム（制御手段）
92a   調湿側コントローラ
【図１】
2010065977.tif 000003
【図２】
2010065977.tif 000004
【図３】
2010065977.tif 000005
【図４】
2010065977.tif 000006
【図５】
2010065977.tif 000007
【図６】
2010065977.tif 000008
【図７】
2010065977.tif 000009